(57)【要約】  【課題】  特に回転手段を用いて紙屑を排出する穴あけパンチを提供する。  【解決手段】  本発明に係る穴あけパンチは、基台上部と、回転可能に該基台上部に組み合われると共に、前記基台上部との間に形成される収容空間と、底部に形成され、該基台上部の回動により、該収容空間と連通可能である少なくとも１つの屑排出孔とを有する基台底部とからなる基台と、前記基台に枢設され、上下移動可能に前記基台に位置する２つのパンチブロックを備えるパンチ部材とを有するものである。【選択図】図１
2014012329.tif 000002
【特許請求の範囲】
【請求項１】
基台上部と、回転可能に該基台上部に組み合われると共に、前記基台上部との間に形成される収容空間と、底部に形成され、該基台上部の回動により、該収容空間と連通可能である少なくとも１つの屑排出孔とを有する基台底部とからなる基台と、
前記基台に枢設され、上下移動可能に前記基台に位置する２つのパンチブロックを備えるパンチ部材と、
を有することを特徴とする穴あけパンチ。
【請求項２】
前記少なくとも１つの屑排出孔が基台底部に形成されることを特徴とする請求項１に記載の穴あけパンチ。
【請求項３】
前記基台上部は基台底部に対して所定の範囲内で回動可能であり、
前記基台底部における基台上部の正逆方向への最大回動箇所にそれぞれ屑排出孔が形成されることを特徴とする請求項２に記載の穴あけパンチ。
【請求項４】
前記少なくとも１つの屑排出孔が基台上部に形成されることを特徴とする請求項１に記載の穴あけパンチ。
【請求項５】
前記基台底部の周縁に、前記屑排出孔を塞ぐための少なくとも１つのカバー部材が設けられることを特徴とする請求項４に記載の穴あけパンチ。
【請求項６】
前記基台上部が基台底部に対して正逆方向にそれぞれ９０度の範囲内で回動可能であることを特徴とする請求項５に記載の穴あけパンチ。
【請求項７】
前記基台上部が基台底部に対して正逆方向にそれぞれ３０度の範囲内で回動可能であることを特徴とする請求項３または６に記載の穴あけパンチ。
【請求項８】
前記基台上部にスライド溝が形成され、
前記基台底部に、該スライド溝を摺動自在に嵌挿するためのガイドブロックが設けられることを特徴とする請求項１ないし７の何れか１項に記載の穴あけパンチ。
【請求項９】
前記基台底部の上面に円形の下収容部が凹設され、
前記基台上部は、円形を呈し、回転可能に基台底部の下収容部に設置され、
前記基台上部と基台底部との対応する中心位置にそれぞれ、互いに回動可能な結合構造が設けられることを特徴とする請求項２または３に記載の穴あけパンチ。
【請求項１０】
前記基台上部の底面に上収容部が形成され、該上収容部の内面に、該上収容部を第一上区間及び第二上区間に区画する上区画リブが凸設され、
前記パンチブロックはそれぞれ、第一上区間と対応するように設置され、
前記基台底部の上面に下収容部が形成され、該下収容部の上面に、基台上部の上区画リブに当接する下区画リブが凸設され、該下区画リブにより下収容部が第一下区間及び第二下区間に区画され、
前記上収容部の第一上区間と下収容部の第一下区間との組み合わせにより、紙屑を収容するための収容空間である第一空間が形成されると共に、該上収容部の第二上区間と下収容部の第二下区間との組み合わせにより、第二空間が形成され、
前記屑排出孔が基台底部における下収容部の第二空間内に形成されることを特徴とする請求項９に記載の穴あけパンチ。
【請求項１１】
前記基台底部の上面に円形の下収容部が凹設され、
前記基台上部は、円形を呈し、回転可能に基台底部の下収容部に設置され、
前記基台上部と基台底部との対応する中心位置にそれぞれ、互いに回動可能な結合構造が設けられることを特徴とする請求項１、４乃至８の何れか１項に記載の穴あけパンチ。
【請求項１２】
前記結合構造は、一方の中心位置に結合孔が形成されると共に、他方の中心位置に、回動可能に該結合孔に挿設される結合軸が凸設されることを特徴とする請求項９または１１に記載の穴あけパンチ。
【請求項１３】
前記結合軸は、弾性を備えた弾性結合軸であり、回動可能に結合孔に挿設され、その端部に複数の弾性フックが設けられることを特徴とする請求項１２に記載の穴あけパンチ。
【請求項１４】
前記弾性結合軸は基台上部の底面に凸設されると共に、前記結合孔が基台底部の下収容部内に形成されることを特徴とする請求項１２または１３に記載の穴あけパンチ。
【請求項１５】
前記下収容部の中心に結合柱が凸設され、該結合柱の上面に前記結合孔が凹設されることを特徴とする請求項１４に記載の穴あけパンチ。
【請求項１６】
前記基台上部の底面に上収容部が形成され、該上収容部の内面に、該上収容部を第一上区間及び第二上区間に区画する上区画リブが凸設され、
前記パンチブロックはそれぞれ、第一上区間と対応するように設置され、
前記基台底部の上面に下収容部が形成され、該下収容部の上面に、基台上部の上区画リブに当接する下区画リブが凸設され、該下区画リブにより下収容部が第一下区間及び第二下区間に区画され、
前記上収容部の第一上区間と下収容部の第一下区間との組み合わせにより、紙屑を収容するための収容空間である第一空間が形成されると共に、該上収容部の第二上区間と下収容部の第二下区間との組み合わせにより、第二空間が形成されることを特徴とする請求項９、１１乃至１５の何れか１項に記載の穴あけパンチ。
【請求項１７】
前記基台上部の第一空間の上区画リブに、Ｕ字形の上間隔リブが凸設されると共に、前記基台底部の第一空間の下区画リブに、Ｕ字形の下間隔リブが凸設され、それら上間隔リブ及び下間隔リブは対応するように当接されることにより、該基台上部と基台底部との間に形成される収容空間がＵ字形を呈することを特徴とする請求項１０または１６に記載の穴あけパンチ。
【請求項１８】
前記カバー部材の内側面に少なくとも１つの摺動凸部が凸設され、前記基台上部における外周面に屑排出孔の両側へ延出するように摺動溝が形成され、該摺動溝に該摺動凸部が摺動自在に係合されることを特徴とする請求項５または６に記載の穴あけパンチ。
【請求項１９】
前記基台上部における摺動溝の両端にそれぞれ止めリブが設けられ、前記基台底部における、該止めリブと対応する箇所にそれぞれ位置決めリブが設けられることを特徴とする請求項１８に記載の穴あけパンチ。
【発明の詳細な説明】
【技術分野】
【０００１】
本発明は、回転手段により紙屑を排出する穴あけパンチに関するものである。
【背景技術】
【０００２】
既存の穴あけパンチは通常、重ねた紙をファイルに綴じるために、紙に穴を開けるものであり、この構造は、例えば、図１２に示すように、基台４０を備え、該基台４０の上側にパンチ部材４２が枢設されると共に、該基台４０の内部にパンチ部材４２と連動する一対のパンチブロックが設けられ、該基台４０の底面に紙屑収容空間が形成され、基台４０の底面における、該収容空間と対応する位置に、該収容空間を封止する底蓋４４が開閉可能に被装され、使用する時は、紙を基台４０とパンチ部材４２との間に挿入し、パンチ部材４２を下方へ押し込むことによって、一対のパンチブロックを下方に移動させて紙に穴を開けると共に、その紙屑を基台４０の収容空間に落下させて収容する。
【発明の概要】
【発明が解決しようとする課題】
【０００３】
既存の穴あけパンチは頻繁に使用すると、基台４０の収容空間に紙屑が一杯になることから、底蓋４４を開いて紙屑を取り除く必要がある。しかしながら、既存の穴あけパンチの底蓋４４はしっかりと基台４０に嵌め込まれていることから、強い力を出さなければ底蓋４４を取り外すことができないので、開けにくく、開けた時に紙屑飛び散ってしまうといった問題があった。
【課題を解決するための手段】
【０００４】
前述した課題を解決するための本発明は、基台上部と、回転可能に該基台上部に組み合われると共に、前記基台上部との間に形成される収容空間と、底部に形成され、該基台上部の回動により、該収容空間と連通可能である少なくとも１つの屑排出孔とを有する基台底部とからなる基台と、
前記基台に枢設され、上下移動可能に前記基台に位置する２つのパンチブロックを備えるパンチ部材と、を有するものである。
【０００５】
また、かかる穴あけパンチにおいて、前記少なくとも１つの屑排出孔が基台底部に形成されることが好ましい。
【０００６】
また、かかる穴あけパンチにおいて、前記基台上部は基台底部に対して所定の範囲内で回動可能であり、
前記基台底部における基台上部の正逆方向への最大回動箇所にそれぞれ屑排出孔が形成されることが好ましい。
【０００７】
また、かかる穴あけパンチにおいて、前記少なくとも１つの屑排出孔が基台上部に形成されることが好ましい。
【０００８】
また、かかる穴あけパンチにおいて、前記基台底部の周縁に、前記屑排出孔を塞ぐための少なくとも１つのカバー部材が設けられることが好ましい。
【０００９】
また、かかる穴あけパンチにおいて、前記基台上部が基台底部に対して正逆方向にそれぞれ９０度の範囲内で回動可能であることが好ましい。
【００１０】
また、かかる穴あけパンチにおいて、前記基台上部が基台底部に対して正逆方向にそれぞれ３０度の範囲内で回動可能であることが好ましい。
【００１１】
また、かかる穴あけパンチにおいて、前記基台上部にスライド溝が形成され、
前記基台底部に、該スライド溝を摺動自在に嵌挿するためのガイドブロックが設けられることが好ましい。
【００１２】
また、かかる穴あけパンチにおいて、前記基台底部の上面に円形の下収容部が凹設され、
前記基台上部は、円形を呈し、回転可能に基台底部の下収容部に設置され、
前記基台上部と基台底部との対応する中心位置にそれぞれ、互いに回動可能な結合構造が設けられることが好ましい。
【００１３】
また、かかる穴あけパンチにおいて、前記基台上部の底面に上収容部が形成され、該上収容部の内面に、該上収容部を第一上区間及び第二上区間に区画する上区画リブが凸設され、
前記パンチブロックはそれぞれ、第一上区間と対応するように設置され、
前記基台底部の上面に下収容部が形成され、該下収容部の上面に、基台上部の上区画リブに当接する下区画リブが凸設され、該下区画リブにより下収容部が第一下区間及び第二下区間に区画され、
前記上収容部の第一上区間と下収容部の第一下区間との組み合わせにより、紙屑を収容するための収容空間である第一空間が形成されると共に、該上収容部の第二上区間と下収容部の第二下区間との組み合わせにより、第二空間が形成され、
前記屑排出孔が基台底部における下収容部の第二空間内に形成されることが好ましい。
【００１４】
また、かかる穴あけパンチにおいて、前記基台底部の上面に円形の下収容部が凹設され、
前記基台上部は、円形を呈し、回転可能に基台底部の下収容部に設置され、
前記基台上部と基台底部との対応する中心位置にそれぞれ、互いに回動可能な結合構造が設けられることが好ましい。
【００１５】
また、かかる穴あけパンチにおいて、前記結合構造は、一方の中心位置に結合孔が形成されると共に、他方の中心位置に、回動可能に該結合孔に挿設される結合軸が凸設されることが好ましい。
【００１６】
また、かかる穴あけパンチにおいて、前記結合軸は、弾性を備えた弾性結合軸であり、回動可能に結合孔に挿設され、その端部に複数の弾性フックが設けられることが好ましい。
【００１７】
また、かかる穴あけパンチにおいて、前記弾性結合軸は基台上部の底面に凸設されると共に、前記結合孔が基台底部の下収容部内に形成されることが好ましい。
【００１８】
また、かかる穴あけパンチにおいて、前記下収容部の中心に結合柱が凸設され、該結合柱の上面に前記結合孔が凹設されることが好ましい。
【００１９】
また、かかる穴あけパンチにおいて、前記基台上部の底面に上収容部が形成され、該上収容部の内面に、該上収容部を第一上区間及び第二上区間に区画する上区画リブが凸設され、
前記パンチブロックはそれぞれ、第一上区間と対応するように設置され、
前記基台底部の上面に下収容部が形成され、該下収容部の上面に、基台上部の上区画リブに当接する下区画リブが凸設され、該下区画リブにより下収容部が第一下区間及び第二下区間に区画され、
前記上収容部の第一上区間と下収容部の第一下区間との組み合わせにより、紙屑を収容するための収容空間である第一空間が形成されると共に、該上収容部の第二上区間と下収容部の第二下区間との組み合わせにより、第二空間が形成されることが好ましい。
【００２０】
また、かかる穴あけパンチにおいて、前記基台上部の第一空間の上区画リブに、Ｕ字形の上間隔リブが凸設されると共に、前記基台底部の第一空間の下区画リブに、Ｕ字形の下間隔リブが凸設され、それら上間隔リブ及び下間隔リブは対応するように当接されることにより、該基台上部と基台底部との間に形成される収容空間がＵ字形を呈することが好ましい。
【００２１】
また、かかる穴あけパンチにおいて、前記カバー部材の内側面に少なくとも１つの摺動凸部が凸設され、前記基台上部における外周面に屑排出孔の両側へ延出するように摺動溝が形成され、該摺動溝に該摺動凸部が摺動自在に係合されることが好ましい。
【００２２】
また、かかる穴あけパンチにおいて、前記基台上部における摺動溝の両端にそれぞれ止めリブが設けられ、前記基台底部における、該止めリブと対応する箇所にそれぞれ位置決めリブが設けられることが好ましい。
【発明の効果】
【００２３】
本発明に係る穴あけパンチによれば、基台上部または基台底部を回動させることにより、紙屑を収容空間から、連通する屑排出孔を通して排出させることができることから、基台底部をわざわざ基台上部から取り外す必要はなく、紙屑を散らかすこともない。このように、本発明では、基台上部又は基台底部を回動すれば、簡単に紙屑を排出できるので、使用上の利便性が極めて高い。
【図面の簡単な説明】
【００２４】
【図１】本発明の穴あけパンチの第一実施例の斜視図である。
【図２】本発明の穴あけパンチの第一実施例の部分分解図である。
【図３】本発明の穴あけパンチの第一実施例の平面断面図である。
【図４】本発明の穴あけパンチの第一実施例の側面部分断面図である。
【図５】本発明の穴あけパンチの第一実施例において、紙屑を取り除いた状態を示す平面断面図である。
【図６】本発明の穴あけパンチの第一実施例において、紙屑を取り除いた状態を示す側面断面図である。
【図７】本発明の穴あけパンチの第二実施例の斜視図である。
【図８】本発明の穴あけパンチの第二実施例の分解斜視図である。
【図９】本発明の穴あけパンチの第二実施例の平面断面図である。
【図１０】本発明の穴あけパンチの第二実施例において、紙屑を取り除いた状態を示す平面断面図である。
【図１１】本発明の穴あけパンチの第二実施例において、紙屑を取り除いた状態を示す平面断面図である。
【図１２】従来の穴あけパンチの斜視図である。
【発明を実施するための形態】
【００２５】
以下、明細書の内容及び図面を参照しつつ、好適な実施の形態を説明する。
図１及び図２に示すように、本発明の穴あけパンチにおける第一実施例は、基台及びパンチ部材２０を有し、その内、該パンチ部材２０は、基台に枢設され、２つのパンチブロック２２を備え、該各パンチブロック２２は、上下移動可能に該基台に設置される。なお、そのパンチ部材２０とパンチブロック２２との構造は、既存の技術をであると共に、本発明について重要な技術ではないことから、詳細な説明は省略する。
【００２６】
図３及び図４に示すように、前記基台は、断面円形の基台上部１０及び基台底部３０を備え、該基台上部１０は、回転可能に基台底部３０に組み合わされ、底面に上収容部１２が凹設され、一方、該基台底部３０は、上面に円形の下収容部３２が凹設され、該基台上部１０の上収容部１２と基台底部３０の下収容部３２との組み合わせにより、紙屑の収容空間が形成される。尚、その収容空間は、密閉状態となっても構わなく、その基台上部１０は、回転可能に基台底部３０の下収容部３２に嵌合されることが好ましい。
【００２７】
また、前記基台上部１０の上収容部１２の内面に、該上収容部１２を第一上区間及び第二上区間に区画する上区画リブ１５が凸設され、前記パンチブロック２２はそれぞれ第一上区間と対応するように設置される。一方、前記基台底部３０の下収容部３２の上面に、基台上部１０の上区画リブ１５に当接する下区画リブ３５が凸設され、該下区画リブ３５により下収容部３２が第一下区間及び第二下区間に区画され、前記上収容部１２の第一上区間と下収容部３２の第一下区間との組み合わせにより、第一空間が形成されると共に、該上収容部１２の第二上区間と下収容部３２の第二下区間との組み合わせにより、第二空間が形成される。尚、その第一空間は、前記紙屑の収容空間であり、パンチブロック２２で切り落とした紙屑を収容することができる。
【００２８】
さらに、前記基台上部１０の第一空間内の上区画リブ１５に、略Ｕ字形の上間隔リブ１５２が凸設されると共に、前記基台底部３０の第一空間内の下区画リブ３５に、略Ｕ字形または円弧状の下間隔リブ３５２が凸設され、それら上間隔リブ１５２及び下間隔リブ３５２が対応するように当接されることにより、基台上部１０と基台底部３０との間に略Ｕ字形の収容空間が形成される。
【００２９】
前記基台上部１０と基台底部３０との対応する中心にそれぞれ、互いに枢転可能な結合構造が設けられ、その結合構造は、一側の中心に結合孔３４が形成され、他側の中心に回転可能に該結合孔３４に挿設される結合軸が凸設され、また、該結合軸は、弾性を備える弾性結合軸１４であってもよく、該基台上部１０の上収容部１２内の中心位置に凸設され、一方、該結合孔３４は、基台底部３０の下収容部３２内の中心に形成され、回転可能に該弾性結合軸１４に挿設される。
【００３０】
本実施例においては、前記基台底部３０の下収容部３２の中心に結合柱３３が凸設され、該結合柱３３の上面に前記結合孔３４が凹設される。一方、前記弾性結合軸１４の端部に複数の弾性フックが設けられ、それら弾性フックは、結合孔３４から挿入して結合孔３４の周面に掛合される。尚、図４に示すように、本実施例においては４本の弾性フックを有する弾性結合軸１４が用いられているが、２本や他の数量の弾性フックを設けてもよく、数量の制限はない。このように、本発明においては、その弾性結合軸１４が枢転可能に結合孔３４に掛合される構成である。
【００３１】
尚、本実施例における他の結合構造として、弾性結合軸１４が基台底部３０の上面に設けられると共に、結合孔３４が基台上部１０の底面に形成されるものであってもよく、基台上部１０が基台底部３０に対して回動できればよい。また、弾性結合軸１４及び結合孔３４は、図面のように上収容部１２と下収容部３２とからなる第一空間に位置することが好ましい。
【００３２】
前記基台底部３０は通常、底面に少なくとも１つの屑排出孔３６が形成されるが、本実施例においては、基台底部３０における下収容部３２の第二空間内に２つの屑排出孔３６が形成され、前記基台上部１０を基台底部３０に対して回動させると、該屑排出孔３６が収容空間と連通する。。また、穴あけパンチを使用しているときは、下区画リブ３５により屑排出孔３６は収容空間と非連通状態となるので、紙屑が屑排出孔３６から排出されることはない。
【００３３】
尚、本発明に係る穴あけパンチは、基台上部１０が基台底部３０に対して所定の範囲内で回動可能であることが好ましい。また、基台上部１０は、基台底部３０に対して正逆方向にそれぞれ３０度に回動してもよく、該基台底部３０は、２つの屑排出孔３６を備え、それら屑排出孔３６はそれぞれ、該基台底部３０における、基台上部１０が正逆方向への最大の回動角度まで回動した位置と対応する箇所に形成される。
【００３４】
また、前記基台上部１０の外周面にスライド溝１６が形成され、前記基台底部３０の内周面上における、該スライド溝１６と対応する位置に、該スライド溝１６に摺動自在に係合されるガイドブロック３８が設けられる。この構造によれば、基台上部１０が基台底部３０に対して回動する角度を制限することができ、基台上部１０を基台底部３０に安定して組み合わせることができるので、パンチの反力による変形や破損などを防止することができる。
【００３５】
本発明に係る穴あけパンチを使用する時は、重ねた紙を基台に入れて２つのパンチブロック２２に位置合わせし、パンチ部材２０を基台上部１０に対して下方へ押し込むだけでよく、これにより、パンチブロック２２が基台上部１０に対して下方へ移動して紙に穴を開け、その紙屑が収容空間に落下する。
【００３６】
図５及び図６に示すように、本発明に係る穴あけパンチにおいて、収容空間内の紙屑を排出させる場合は、基台上部１０を基台底部３０に対して回動させ、或いは、基台底部３０を基台上部１０に対して回動させ、屑排出孔３６を収容空間と対応するように操作し、穴あけパンチをやや横に倒して紙屑を屑排出孔３６から排出する。該基台底部３０に２つの屑排出孔３６を有する場合には、基台上部１０を基台底部３０に対して正逆方向にそれぞれ所定の角度回動させ、それら屑排出孔３６を交互に収容空間と連通させることにより、両方の紙屑を屑排出孔３６から排出することができる。
【００３７】
上述の構成によれば、基台底部３０を基台上部１０から取り外す必要はなく、基台上部１０又は基台底部３０を回動すれば、紙屑を排出することができることから、紙屑を散らかしてしまうといった従来の問題を解決できると共に、紙屑の収集も簡単であるので、使用上の利便性が向上する。
【００３８】
一方、図７乃至図９に示すように、本発明に係る穴あけパンチにおける第二実施例は、第一実施例と同様に、基台と、パンチ部材２０Ａと、２つのパンチブロックとを有する構造であるが、基台上部１０Ａが基台底部３０Ａに対して正逆方向にそれぞれ９０度回動可能である点において異なる。なお、基台上部１０Ａが基台底部３０Ａに対して正逆方向にそれぞれ３０度回動可能であることが好ましい。
【００３９】
第二実施例においては、基台上部１０Ａと基台底部３０Ａとの間に、連通する収容空間３１、３１２が相対する位置に形成され、該基台底部３０Ａの周縁における、それら収容空間３１、３１２の中央位置に弧状のカバー部材３７が上方へ伸びるように設けられ、該基台上部１０Ａの周縁における、基台底部３０Ａのカバー部材３７と対応する箇所に１つの屑排出孔１８が形成され、該屑排出孔１８はカバー部材３７によりカバーされる。
【００４０】
また、前記基台上部１０Ａと基台底部３０Ａとの間に設けられた結合構造、つまり、弾性結合軸１４Ａ及び結合孔３４Ａは、上収容部１２Ａ及び下収容部３２Ａからなる収容空間３１、３１２の範囲内に位置しないように、基台上部１０及び基台底部３０の中心に設けられる。
【００４１】
第二実施例を使用する時は、重ねた紙を基台上部１０Ａに挿入してパンチ部材２０Ａを押し下げると、パンチブロックが紙に穴を開けると同時に、紙屑が収容空間３１、３１２に落下する。
【００４２】
図９及び図１０に示すように、収容空間３１、３１２に落下した紙屑を収容空間３１、３１２から排出する場合には、基台上部１０Ａ又は基台底部３０Ａを回動させて、屑排出孔１８をカバー部材３７から離間させて何れか１つの収容空間３１、３１２と連通させ、穴あけパンチをやや横に倒せば、収容空間３１、３１２内の紙屑を排出することができる。また、前記基台上部１０Ａまたは基台底部３０Ａを正逆方向にそれぞれ回動させれば、収容空間３１、３１２内の紙屑を交互に排出することができる。
【００４３】
図７及び図８に示すように、第二実施例におけるカバー部材３７の内側面に少なくとも１つの摺動凸部３７２が凸設され、基台上部１０Ａにおける外周面に、屑排出孔１８の一側または両側へ延出する摺動溝１９が形成され、該摺動溝１９に摺動自在に摺動凸部３７２が挿設され、更に、該摺動溝１９の一端に止めリブ１７が設けられ、前記基台底部３０Ａにおける、該止めリブ１７との同軸上に少なくとも１つの位置決めリブ３９が設けられる。
【００４４】
このように、第二実施例においては、カバー部材３７の両側内面にそれぞれ摺動凸部３７２が設けられてもよく、屑排出孔１８の両側にそれぞれ位置決めリブ３９が形成されてもよく、更に、摺動溝１９の両端にそれぞれ前記止めリブ１７及び前記位置決めリブ３９が設けられてもよい。この構成によれば、その摺動凸部３７２が摺動溝部１９に係合されることから、摺動凸部３７が摺動溝１９に沿って摺動し、基台上部１０Ａが基台底部３０Ａに対してスムーズに回動できる。故に、基台上部１０Ａが基台底部３０Ａに安定して組み合わされるので、パンチの反力による変形や破損などを防止することができる。また、前記摺動凸部３７２が摺動溝１９の末端へ移動する時に、摺動凸部３７２が摺動溝１９の末端に当接する仕組みになっているので、基台上部１０Ａと基台底部３０Ａとの回動角度を制限することができる。
【００４５】
また、第二実施例においては、屑排出孔１８が収容空間３１、３１２と連通するように、基台上部１０Ａ又は基台底部３０Ａを回動させると、紙屑を排出することができ、また、前記カバー部材３７が一側の止めリブ１７に当接することにより、基台上部１０Ａと基台底部３０Ａとの回動角度を制限でき、その一対の止めリブ１７がそれぞれ一対の位置決めリブ３９と同軸上である時は、該カバー部材３７が屑排出孔１８を封止している状態となる。
【００４６】
尚、図８に示すように、前記基台上部１０Ａの摺動溝１９及び基台底部３０Ａの摺動凸部３７２と反対する側にそれぞれ、スライド溝１６Ａ及びガイドブロック３８Ａが形成されてもよく、これにより、該基台上部１０Ａが基台底部３０Ａに安定して組み合わされるので、穴あけパンチを使用する時、パンチの反力による変形や破損などを防止することができる。
【符号の説明】
【００４７】
１０、１０Ａ  基台上部
１２、１２Ａ  上収容部
１４、１４Ａ  弾性結合軸
１５          上区画リブ
１５２        上間隔リブ
１６、１６Ａ  スライド溝
１７          止めリブ
１８          屑排出孔
１９          摺動溝
２０、２０Ａ  パンチ部材
２２          パンチブロック
３０、３０Ａ  基台底部
３１、３１２  収容空間
３２、３２Ａ  下収容部
３３          結合柱
３４、３４Ａ  結合孔
３５          下区画リブ
３５２        下間隔リブ
３６          屑排出孔
３７          カバー部材
３７２        摺動凸部
３８、３８Ａ  ガイドブロック
３９          位置決めリブ
４０          基台
４２          パンチ部材
４４          底蓋
【図１】
2014012329.tif 000003
【図２】
2014012329.tif 000004
【図３】
2014012329.tif 000005
【図４】
2014012329.tif 000006
【図５】
2014012329.tif 000007
【図６】
2014012329.tif 000008
【図７】
2014012329.tif 000009
【図８】
2014012329.tif 000010
【図９】
2014012329.tif 000011
【図１０】
2014012329.tif 000012
【図１１】
2014012329.tif 000013
【図１２】
2014012329.tif 000014